(57)【要約】      （修正有）【課題】操作の安全性が高く，引っ掛け部や引っ掛け対象に傷を付け難い，軽量，小型で，携帯性，安全性に優れた引っ掛け具の提供。【解決手段】リールユニット（１）はリール２にベルト材１の後端部が連結されており、リールは右回転でベルト材を巻き戻し、ベルト材を引き出すと左回転する。リール２，ギヤ３，ラチェツト４は一体，又は連結されているため一体回転する。ラチェツト４はラチェツト制御ボタン１３が押下されない状態では、ラチェツト爪１１がラチェツト４の回転阻止歯に係合して、リール２，ギヤ３がリールユニット（２）のギヤ８に連結しているため、ギヤ８，リール７は右回転が阻止され，ベルト材６の引き出しも阻止されるため、ベルト材２ならびにベルト材６の長さが保持され、手荷物をパイプなどに引っかけた状態で、手荷物は所定の高さに吊り下げ維持される。【選択図】図１
0003141120.tif 000002
【実用新案登録請求の範囲】
【請求項１】
所定の長さで，先端部にループ形成の留め部を有し，後端部が二個のリールに連結された二本のベルト材を，リールから引き出し，または巻き戻して，ベルト材と留め部により形成する片側のループでパイプなどの引っ掛け部を，他方のループで手荷物などの引っ掛け対象を吊るして保持する引っ掛け具に関して，リールを相互にギヤで連結して，二本のベルト材の引き出し，巻き戻しのタイミングと長さを揃えるとともに，一方または両方のリールに，ベルト材の引き出し時にゼンマイバネなどに蓄積した巻き戻し方向への回転弾性によりベルト材の自動巻き戻しを行う回転付与機構を備え，一方または両方のリールに，リールの回転を阻止してベルト材の引き出し長さを固定し，引っ掛け対象の吊るし高さを設定するするロツク機構，ならびにロックを解除してベルト材の引き出しを可能とする解除機構を備えることにより，多様なサイズ，形状の引っ掛け部に，多様なサイズ，形状の引っ掛け対象を吊るすことが出来る，軽量，小型で，携帯性，安全性に優れた手荷物フッカー。
【請求項２】
ギヤによる連結機構，ならびに連結解除機構により，リールを相互に連結した，請求項１に記載される，軽量，小型で，携帯性，安全性に優れた手荷物フッカー。
【請求項３】
ギヤによる連結機構を備えず，それぞれのリールに，回転を阻止するロツク機構，ならびにロツクを解除する解除機構を構成した，請求項１に記載される，軽量，小型で，携帯性，安全性に優れた手荷物フッカー。
【請求項４】
ベルト材の自動巻き戻しを行う回転付与機構を備えず，手操作でベルト材を巻き戻す，請求項１，請求項２，請求項３に記載される，軽量，小型で，携帯性，安全性に優れた手荷物フッカー。
【考案の詳細な説明】
【技術分野】
【０００１】所定の長さで，先端部にループ形成の留め部を有し，後端部が二個のリールに連結された二本のベルト材を，リールから引き出し，または巻き戻して，ベルト材と留め部により形成する片側のループでパイプなどの引っ掛け部を，他方のループで手荷物などの引っ掛け対象を吊るして保持する引っ掛け具に関して，リールを相互にギヤ連結する機構，回転弾性によるベルト材の自動巻き戻しを行う回転付与機構，リールの回転を阻止して引っ掛け対象の吊るし高さを設定するするロツク機構，ならびにロックを解除する機構などを備えることにより，多様なサイズ，形状の引っ掛け部に多様なサイズ，形状の引っ掛け対象を吊るすことが出来る，軽量，小型で，携帯性，安全性に優れた手荷物フッカー。
【背景技術】
【０００２】手荷物を持って移動している場合などに，手荷物による重さからの開放や，手を自由に使うために，身近な引っ掛け部に手荷物を簡易的に吊したいと思うことが多い。手荷物などを吊るす場合，手荷物の形状や重量，内容によっては，床の近くに吊るすことが望ましい場合が有るものの，邪魔にならない高さに吊り下げたい希望も有るなど，吊るし高さを最適に選ぶ必要があり，巻尺に類似したリール構造により紐体などの連結材の長さを調節できる吊り具が種々提案されている。しかし，かかる吊り具は，リール構造を有する吊り具本体と紐体の先端部にそれぞれ形成される引っ掛けフックを，手荷物の取手やパイプなどの引っ掛け対象に引っ掛けて吊るすため，紐体の長さ調節機能を有する吊り具本体が，引っ掛け対象の近傍に配置されるため，高すぎたり，低すぎたりして，吊るし高さを設定し難い位置となる。また，フックは手荷物やパイプなど引っ掛け対象の形状，サイズによっては，適用可能な引っ掛け対象が限られる傾向が有るとともに，携帯性を高めるために，吊り具本体を小型化することにより引っ掛けフックも小型化され，引っ掛け対象のサイズや形状が制約される場合が多くなるなど，種々の課題を有している。
【考案が解決しようとする課題】
【０００３】手荷物などをパイプなどに吊るす引っ掛け具に関して，リールによるベルト材の引き出し，巻き戻し構造により引っ掛け部と引っ掛け対象の間の距離を所要の長さで，かつ手荷物フッカー本体を手で保持することにより引っ掛け対象の揺れを防ぐことが出来る高さに設定し，多様なサイズや形状の引っ掛け部に，多様なサイズや形状の引っ掛け対象の吊り下げが可能で，操作の安全性が高く，引っ掛け部や引っ掛け対象に傷を付け難い，軽量，小型で，携帯性，安全性に優れた引っ掛け具を実現する。
【課題を解決するための手段】
【０００４】二個のリールそれぞれに連結されるベルト材を所要の長さに引き出し，または巻き戻して，手荷物などを望ましい高さ，かつ手荷物フッカー本体を手で保持することにより手荷物などの引っ掛け対象の揺れを防ぐことが出来る高さに設定し，リールの回転を阻止するロツク機構により固定し，ベルト材の先端部に形成される留め部とベルト材により多様なサイズ，形状の引っ掛け部，ならびに引っ掛け対象に適合したループを形成して，ループによりパイプなどの引っ掛け部に手荷物の取っ手などの引っ掛け対象を吊るすとともに，ナイロン素材などで構成する軟質で広幅なベルト材を使用することにより，操作時や引っ掛け対象の揺れなどによる人体への危険や，引っ掛け部，引っ掛け対象への傷を防ぐ。
【考案の効果】
【０００５】リール構造によりベルト材の長さを調節して引っ掛け部と引っ掛け対象の間の距離を所要に設定して，手荷物などの引っ掛け対象を吊るす構造であり，手荷物などを望ましい高さで，かつ手荷物フッカー本体を手で保持することにより手荷物などの引っ掛け対象の揺れを防ぐことが出来る。また，ベルト材の先端に形成される留め部とベルト材により，引っ掛け部，ならびに引っ掛け対象の多様なサイズ，形状に適合したループを形成することにより特別な構造，スペースを必要とせずに，ループにより，パイプなどの引っ掛け部に手荷物の取手などの引っ掛け対象を吊るすことが出来る。さらに，ナイロン素材などの軟質で広幅なベルト材を使用することにより，操作時や引っ掛け対象の揺れなどによる人体への危険や，引っ掛け部，引っ掛け対象への傷を防ぐことが出来るなど，高い安全性が確保されるなど，軽量，小型で，携帯性，安全性に優れた手荷物フツカーが実現される。
【考案を実施するための最良の形態】
【０００６】図１は本考案による手荷物フッカーの機構構成を示す概念図である。リールユニット（１）はナイロンなどで構成される広幅なベルト材１を巻き込むリール２，ギヤ３，ラチェツト４が一体または連結構成されて，回転軸５に実装されている。（２）はベルト材６を巻き込むリール７，ギヤ８，ベルト材の引き出し時にゼンマイバネなどに蓄積した巻き戻し方向への回転弾性によりベルト材の巻き戻しを行う回転付与機構９で一体または連結構成されて，回転軸１０に実装されている。１１はラチェツト爪，１２はラチェツト爪の戻しバネ，１３はラチェツト制御ボタンであり，リールの回転を阻止，ロツク，解除する機構である。【０００７】リールユニット（１）はリール２にベルト材１の後端部が連結されており，リールは右回転でベルト材を巻き戻し，ベルト材を引き出すと左回転する。リール２，ギヤ３，ラチェツト４は一体，又は連結されているため一体回転する。ラチェツト４はラチェツト制御ボタン１３が押下されない状態では，ラチェツト爪１１がラチェツト４の回転阻止歯に係合してリール２，ギヤ３は左回転を阻止され，ベルト材１の引き出しは出来ない。さらにこの状態は，ギヤ３がリールユニット（２）のギヤ８に連結しているため，ギヤ８，リール７は右回転が阻止され，ベルト材６の引き出しも阻止されるため，ベルト材２ならびにベルト材６の長さが保持され，手荷物をパイプなどに引っ掛けた状態で，手荷物は所定の高さに吊り下げ維持される。【０００８】ラチェツト制御ボタン１３が押下された状態では，ラチェツト爪１１がラチェツト４の回転阻止歯から外れるため，リール２ならびにリール７は回転自在となりベルト材の引き出し，巻き戻しが可能な状態になる。リールユニット（２）には，ベルト材の引き出し時にリール７の巻き戻し方向への回転弾性を蓄積するゼンマイバネなどによる回転付与機構９が組み込まれているため，引き出されているベルト材に懸かる負荷が回転付与機構に蓄積された巻き戻し方向への回転弾性より軽い状態では，ゼンマイバネが蓄えた付勢力により，リール２は右回転，リール７は左回転して，ベルト材１および６はそれぞれのリール２，７に巻き戻される。なお，ラチェツト，ラチエット爪，ならびに回転付与機構はリールユニット（１），リールユニット（２）の一方または両方に組み込む。【０００９】図２はベルト材の先端部の留め部１４により，ベルト材でループを形成して，手荷物をパイプ１５などの引っ掛け部に吊るした状態の概念図である。留め部はベルト材の引き出し，巻き込み用の開口１６を通過し得ないサイズに形成されるため，ベルト材の超過巻き戻しを防止する機能も兼ねている。２０は手荷物フッカーの本体を示し，１３はラチェツト制御ボタンである。【００１０】図３は留め部１４示す外観斜視図であり，ベルト材を留め部１４のスリット１８に嵌めこんでループを形成する。１７はベルト材を傷つけないための緩衝材，１９は留め部のベルト材への取り付け材である。このように本考案による引っ掛け構造は，ベルト材を利用してループを形成するため，手荷物の取手やパイプなどの引っ掛け対象のサイズ，形状には制約され難いとともに，留め部は小型で特別な構造スペースを必要としないため，手荷物フッカーの小型化が可能である。さらに，ベルト材は長さを調節して引っ掛け対象の間の距離を所要の長さに設定して，手荷物などを望ましい高さに吊るすとともに，手荷物フツカー本体を手で保持することにより手荷物などの引っ掛け対象の揺れを防ぐことが出来る高さに設定する場合や，引っ掛け対象が揺れた場合などに，引っ掛け対象や人体に傷を付ける危険が大きいため，ナイロンなどで構成する広幅なベルト材を使用することで安全性を確保する。
【実施例】
【００１１】本考案の具体的な実施例を以下に示す。ラチェツト，ラチェツト爪，ギヤは磨耗を考慮してアルミ材で形成し，リール，筺体などは合成樹脂材，回転付与機構は鋼ゼンマイバネ，ベルト材は強度と軟性，安全性を考慮してナイロンまたは塩化ビニールなどの広幅なベルト材が望ましいが，スチールであってもビニールなどで厚くコートされていれば良い。留め部は樹脂，緩衝材はテフロン材で構成し，連結材は幅１０ｍｍ，厚み１ｍｍ，長さ１ｍ，手荷物フッカー本体は，縦×横×厚は４０×７０×１５ｍｍで構成した。【００１２】請求項２は，リールユニット（１）とリールユニット（２）の位置関係を一時的にずらして，相互のギヤの噛み合わせを外し，連結を解除する連結解除機構を付加することにより，連結が解除されている状態では相互のリールは独立に回転が可能となり，引き出すベルト材の長さを非対称にして，手荷物フッカー本体をベルト材の任意の位置に，設定できるとともに，リールでのベルト材の弛みを補正することも出来る。【００１３】請求項３は，ギヤによる連結構造を構成せず，それぞれのリールごとに，リールの回転を阻止するロツク機構，ならびにロツクを解除する解除手段を備えることにより，それぞれのベルト材は独立して引き出され，かつ巻き戻されるため，ベルト材の長さはそれぞれ非対称に所要の長さに設定することが出来る。【００１４】請求項４は，ベルト材の引き出し時にゼンマイバネなどに蓄積した巻き戻し方向への回転弾性によりベルトの巻き戻しを行う回転付与機構を有さず，手操作でベルト材を巻き戻す構成のため，ゼンマイバネによる回転付与機構が無いため，大幅な小型化が可能となるとともに，ベルト材の自動巻き戻しにより発生しやすいベルトの絡みによるトラブルが無い。【００１５】留め部の構造に関しては，ループ形成時にベルト材が簡単に外れないようにロツク構造とすること，ならびにベルト材に移動可能な留め部受けを設けて，ベルト材に直接留め部を引っ掛けない構成も可能である。また，一般的なフックや机の角に引っ掛ける鉤型フックを手荷物フッカー本体の側面に装着して，必要な時に外して，ベルト材の留め部を連結して使用することにより，携帯時にフックが邪魔にならず，手荷物フッカーの利用範囲を広げることが可能である。【００１６】ギヤ，ラチエット，リール，回転軸などの，基本的な構成部品に関しては，それぞれを独立して機能単位に別体で構成する例を示したが，実現に際しては，機能の共用が可能な構成の場合に関しては，個々に別体で構成する必要は無く，一体の部品で複数の機能を実現することも可能である。例えば，ラチエッ歯とギヤ歯で構成する場合は，ラチエッ歯とギヤ歯を兼ねさせて，回転連結機構と，回転阻止機構を一体の部品で実現すること，さらに回転付与機構を備えない構成においては，回転軸とリールを兼用するなど，部品点数の削減，小型化に向けて，各種の兼用，一体化が可能である。さらに，各種素材，ディメンジョンなどに関しても，本実施例に限定される事は無く，本考案の趣旨を逸脱しない範囲であれば，種々変形実施が可能である。
【図面の簡単な説明】
【００１７】
【図１】手荷物フッカーの機構構成の概念図を示す。
【図２】ベルト材で形成したループで引っ掛け部に吊るす概念図を示す。
【図３】留め部の外観斜視図を示す。
【符号の説明】
１  リールユニット（１）のベルト材    １６  ベルト材の開口
２  リールユニット（１）のリール      １７  緩衝材
３  リールユニット（１）のギヤ        １８  ベルト材挿入隙間
４  ラチェツト                        １９  取り付け材
５  リールユニット（１）の回転軸      ２０  手荷物フッカー本体
６  リールユニット（２）のベルト材
７  リールユニット（２）のリール
８  リールユニット（２）のギヤ        （１）リールユニット
９  回転付与機構                      （２）リールユニット
１０  リールユニット（２）の回転軸
１１  ラチェツト爪
１２  バネ
１３  ラチェツト制御ボタン
１４  留め部
１５  パイプ
【図１】
0003141120.tif 000003
【図２】
0003141120.tif 000004
【図３】
0003141120.tif 000005
【手続補正書】
【提出日】平成20年1月23日(2008.1.23)
【手続補正１】
【補正対象書類名】実用新案登録請求の範囲
【補正対象項目名】全文
【補正方法】変更
【補正の内容】
【実用新案登録請求の範囲】
【請求項１】
所定の長さで，後端部が二個のリールに連結され，かつ長尺方向の移動を阻止しない留め部を有する，二本のベルト材をリールから引き出し，または巻き戻して，一方のベルト材で，留め部によりパイプなどの引っ掛け部の外周を巻き締めるループを形成し，他方のベルト材で，留め部により手荷物の取っ手などの引っ掛け対象の外周を巻き締めるループを形成し，引っ掛け部に引っ掛け対象を吊るして保持する引っ掛け具に関して，リールを相互にギヤで連結して，二本のベルト材の引き出し，巻き戻しのタイミングと長さを揃るとともに，一方または両方のリールに，ベルト材の引き出し時にゼンマイバネなどに蓄積した巻き戻し方向への回転弾性によりベルト材の自動巻き戻しを行う回転付与機構を備え，一方または両方のリールに，リールの回転を阻止してベルト材の引き出し長さを固定し，引っ掛け対象の吊るし高さを設定するするロツク機構，ならびにロックを解除してベルト材の引き出しを可能とする解除機構を備えることにより，多様なサイズ，形状の引っ掛け部に，多様なサイズ，形状の引っ掛け対象を吊るすことが出来る，軽量，小型で，携帯性，安全性に優れた手荷物フッカー。
【手続補正２】
【補正対象書類名】明細書
【補正対象項目名】０００４
【補正方法】変更
【補正の内容】
【０００４】二個のリールそれぞれに連結されるベルト材を所要の長さに引き出し，または巻き戻して，手荷物などを望ましい高さ，かつ手荷物フッカー本体を手で保持することにより手荷物などの引っ掛け対象の揺れを防ぐことが出来る高さに設定し，リールの回転を阻止するロツク機構により固定し，留め部とベルト材により多様なサイズ，形状の引っ掛け部，ならびに引っ掛け対象に適合させ，かつ，パイプなどの引っ掛け部の外周を巻き締めるループ，ならびに，手荷物の取っ手などの引っ掛け対象の外周を巻き締めるループを形成して，引っ掛け部に引っ掛け対象を吊るすとともに，ナイロン素材などで構成する軟質で広幅なベルト材を使用することにより，操作時や引っ掛け対象の揺れなどによる人体への危険や，引っ掛け部，引っ掛け対象への傷を防ぐ。
【手続補正３】
【補正対象書類名】明細書
【補正対象項目名】０００５
【補正方法】変更
【補正の内容】
【０００５】リール構造によりベルト材の長さを調節して引っ掛け部と引っ掛け対象の間の距離を所要に設定して，手荷物などの引っ掛け対象を吊るす構造であり，手荷物などを望ましい高さで，かつ手荷物フッカー本体を手で保持することにより手荷物などの引っ掛け対象の揺れを防ぐことが出来る。また，留め部とベルト材により，引っ掛け部，ならびに引っ掛け対象の多様なサイズ，形状に適合し，それぞれの外周を巻き締めるループを形成することにより特別な構造，スペースを必要とせず，ループが引っ掛け部や引っ掛け対象からズレルて移動することなくパイプなどの引っ掛け部に手荷物の取手などの引っ掛け対象を安定して吊るすことが出来る。さらに，ナイロン素材などの軟質で広幅なベルト材を使用することにより，操作時や引っ掛け対象の揺れなどによる人体への危険や，引っ掛け部，引っ掛け対象への傷を防ぐことが出来るなど，高い安全が確保されるなど，軽量，小型で，携帯性，安全性に優れた手荷物フツカーが実現される。
【手続補正４】
【補正対象書類名】明細書
【補正対象項目名】０００６
【補正方法】変更
【補正の内容】
【０００６】図１は本考案による手荷物フッカーの機構構成を示す概念図である。リールユニット（１）はナイロンなどで構成される広幅なベルト材１を巻き込むリール２，ギヤ３，ラチェツト４が一体または連結構成されて，５を軸にして回転する。（２）はベルト材６を巻き込むリール７，ギヤ８，ベルト材の引き出し時にゼンマイバネなどに蓄積した巻き戻し方向への回転弾性によりベルト材の巻き戻しを行う回転付与機構９で，一体または連結構成されて，１０を軸にして回転する。１１はラチェツト爪，１２はラチェツト爪の戻しバネ，１３はラチェツト制御ボタン
【手続補正５】
【補正対象書類名】明細書
【補正対象項目名】０００８
【補正方法】変更
【補正の内容】
【０００８】ラチェツト制御ボタン１３が押下された状態では，ラチェツト爪１１がラチェツト４の回転阻止歯から外れるため，リール２ならびにリール７は回転自在となりベルト材の引き出し，巻き戻しが可能な状態になる。リールユニット（２）には，ベルト材の引き出し時にリール７の巻き戻し方向への回転弾性を蓄積するゼンマイバネなどによる回転付与機構９が組み込まれているため，引き出されているベルト材に懸かる負荷が回転付与機構に蓄積された巻き戻し方向への回転弾性より軽い状態では，ゼンマイバネが蓄えた付勢力により，リール７は左回転，リール２は右回転して，ベルト材１および６はそれぞれのリール２，７に巻き戻される。なお，ラチェツト，ラチエット爪，ならびに回転付与機構はリールユニット（１），リールユニット（２）の一方または両方に組み込む。
【手続補正６】
【補正対象書類名】明細書
【補正対象項目名】０００９
【補正方法】変更
【補正の内容】
【０００９】図２はベルト材の先端部に構成する留め部１４とベルト材１でループを形成して，手荷物をパイプ１５などの引っ掛け部に吊るした状態の概念図である。図で明らかなように，形成されるループは任意サイズのループではなく，パイプ１５の外周に巻き付ける形で形成され，引っ掛け対象の重量により締め付けられるため，ループがパイプからズレルて移動することもなく，安定した吊り下げが可能である。また，留め部はベルト材の引き出し，巻き込み用の開口１６を通過し得ないサイズに形成されるため，ベルト材の超過巻き戻しを防止する機能も兼ねている。２０は手荷物フッカーの本体を示し，１３はラチェツト制御ボタンである。
【手続補正７】
【補正対象書類名】明細書
【補正対象項目名】００１０
【補正方法】変更
【補正の内容】
【００１０】図３はベルト材の先端部に設ける留め部を示す外観斜視図であり，ベルト材を留め部１４のスリット１８に嵌めこんでループを形成する。留め部１４は矢印２１で示すベルト材の長尺方向への移動を阻止せず，移動可能な構造となっているため，ベルト材はパイプなどの引っ掛け部，ならびに，手荷物の取っ手などの引っ掛け対象に対して留め部をベルト材に嵌めこんでループを形成することにより，吊り下げる手荷物などの重量により自然に外周に巻き付けられ，締め付けられる。このため，パイプなどの引っ掛け部，ならびに，手荷物の取っ手などの引っ掛け対象の何れも，ズレて移動することもなく，安定した吊り下げが可能である。１７はベルト材に傷をつけないための緩衝材，１９は留め部のベルト材への取り付け材である。このように本考案による引っ掛け構造は，ベルト材を利用してループを形成するため，手荷物の取手やパイプなどの引っ掛け対象のサイズ，ならびに丸，四角，三角などの形状には制約され難いとともに，留め部は小型で特別な構造スペースを必要としないため，手荷物フッカーの小型化が可能である。さらに，ベルト材は長さを調節して引っ掛け対象の間の距離を所要の長さに設定して，手荷物などを望ましい高さに吊るすとともに，手荷物フツカー本体を手で保持することにより手荷物などの引っ掛け対象の揺れを防ぐことが出来る高さに設定する場合や，引っ掛け対象が揺れた場合などに，引っ掛け対象や人体に傷を付ける危険が大きいため，ナイロンなどで構成する広幅なベルト材を使用することで安全性を確保する。
【手続補正８】
【補正対象書類名】明細書
【補正対象項目名】００１３
【補正方法】変更
【補正の内容】
【００１３】請求項３は，ギヤによる連結構造を構成せず，それぞれのリールごとに，リールの回転を阻止するロツク機構，ならびにロツクを解除する解除手段を備えることにより，それぞれのベルト材は独立して引き出され，かつ巻き戻されるため，ベルト材の引き出し長さはそれぞれ所要の長さに設定することが出来る
【手続補正９】
【補正対象書類名】明細書
【補正対象項目名】００１４
【補正方法】変更
【補正の内容】
【００１４】請求項４は，ベルト材の引き出し時にゼンマイバネなどに蓄積した巻き戻し方向への回転弾性によりベルトの巻き戻しを行う回転付与機構を有さず，手操作で軸を回転させることでベルト材を巻き戻す構成のため，ゼンマイバネによる回転付与機構が無く，リールと軸を共用できるため，大幅な小型化が可能となるとともに，ベルト材の自動巻き戻しにより発生しやすいベルトの絡みによるトラブルが無い。
【手続補正１０】
【補正対象書類名】明細書
【補正対象項目名】００１５
【補正方法】変更
【補正の内容】
【００１５】留め部の構造に関しては，ベルト材を引っ掛け部，引っ掛け対象の外周に巻き付け，締め付けてループを形成する構造において，ベルト材が簡単に外れないように留め部のベルト材挿入スリットをロツク構造とすること，ならびに，留め部としては，ベルト材の先端に構成する方法が最も簡単で使い易いが，ベルト材に直接留め部を引っ掛けず，ベルト材が長尺方向に移動可能な受け部をもうけて，先端の留め部を受け部に引っ掛ける構成も可能である。また，一般的なフックや机の角に引っ掛ける鉤型フックを手荷物フッカー本体の側面に装着して，必要な時に外して，ベルト材の留め部を連結して使用することにより，携帯時にフックが邪魔にならず，手荷物フッカーの利用範囲を広げることが可能である。
【手続補正１１】
【補正対象書類名】明細書
【補正対象項目名】００１６
【補正方法】変更
【補正の内容】
【００１６】ギヤ，ラチエット，リール，回転軸などの，基本的な構成部品に関しては，それぞれを独立して機能単位に別体で構成する例を示したが，実現に際しては，機能の共用が可能な構成の場合に関しては，個々に別体で構成する必要は無く，一体の部品で複数の機能を実現することも可能である。例えば，ラチエット歯とギヤ歯を構成する場合は，ラチエット歯とギヤ歯を兼ねさせて，回転連結機構と，回転阻止機構を一体の部品で実現すること，さらに回転付与機構を備えない構成においては，回転軸とリールを兼用するなど，部品点数の削減，小型化に向けて，各種の兼用，一体化が可能である。また，過度な重量の手荷物などが吊り下げられた場合に，留め部が変形してベルト材から外れるゴムなど軟質な素材で留め部を構成したり，留め部またはラチエット爪などが構造的に外れる構成を採用するなどにより，手荷物フツカーの部材の破損を防ぐ対策を施すことも有効であるなど，各種素材，構成，ディメンジョンなどに関しても，本実施例に限定される事は無く，本考案の趣旨を逸脱しない範囲であれば，種々変形実施が可能である。
0003141120.tif 000006
0003141120.tif 000007